【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
Ｘ２通信セットアップのための方法であって、
アクセスポイントで少なくとも１つのネイバーノードを発見することと、
前記アクセスポイントの少なくとも２つのアドレスと、前記少なくとも１つのネイバーノードの少なくとも２つのアドレスとを備える登録メッセージを生成することと、
Ｘ２通信のための前記登録メッセージをＸ２ゲートウェイ（Ｘ２−ＧＷ）に送信することと、
を備える、方法。
【請求項２】
前記登録メッセージのための前記Ｘ２−ＧＷからの肯定応答メッセージを受信することをさらに備える、請求項１に記載の方法。
【請求項３】
前記２つのアドレスは、より高いプロトコルレイヤおよびより低いプロトコルレイヤでのアドレスに対応する、請求項１に記載の方法。
【請求項４】
前記少なくとも２つのアドレスは、トランスポートネットワークレイヤ（ＴＮＬ）アドレスおよび無線ネットワークレイヤ（ＲＮＬ）アドレスを備える、請求項３に記載の方法。
【請求項５】
前記登録メッセージを前記生成することは、標準的なＸ２−ＡＰメッセージ、修正された標準的なＸ２−ＡＰメッセージ、または新しいＸ２−ＡＰメッセージから選択することを備える、請求項１に記載の方法。
【請求項６】
少なくとも部分的に、前記少なくとも１つのネイバーノードの前記少なくとも２つのアドレス間の関連づけを含めることにより、ルーティングテーブルを前記Ｘ２−ＧＷによって更新することをさらに備える、請求項１に記載の方法。
【請求項７】
少なくとも１つの新しいネイバーノードの検出、または前記少なくとも１つのネイバーノードでのアドレスパラメータの変化の検出の少なくとも１つに応答して、前記発見することを開始することをさらに備える、請求項１に記載の方法。
【請求項８】
前記パラメータの変化を検出することに応答して、少なくとも１つの更新されたアドレスを備える別の登録メッセージを送信することをさらに備える、請求項７に記載の方法。
【請求項９】
ワイヤレス通信装置であって、
アクセスポイントで少なくとも１つのネイバーノードを発見するための手段と、
前記アクセスポイントの少なくとも２つのアドレスと、前記少なくとも１つのネイバーノードの少なくとも２つのアドレスとを備える登録メッセージを生成するための手段と、
Ｘ２通信のための前記登録メッセージをＸ２ゲートウェイ（Ｘ２−ＧＷ）に送信するための手段と、
を備える、装置。
【請求項１０】
前記登録メッセージのための前記Ｘ２−ＧＷからの肯定応答メッセージを受信するための手段をさらに備える、請求項９に記載の装置。
【請求項１１】
前記登録メッセージを生成するための前記手段は、標準的なＸ２−ＡＰメッセージ、修正された標準的なＸ２−ＡＰメッセージ、または新しいＸ２−ＡＰメッセージから選択する、請求項９に記載の装置。
【請求項１２】
少なくとも部分的に、前記少なくとも１つのネイバーノードの前記少なくとも２つのアドレス間の関連づけを含めることにより、前記Ｘ２−ＧＷのためのルーティングテーブルを更新するための手段をさらに備える、請求項９に記載の装置。
【請求項１３】
少なくとも１つの新しいネイバーノードの検出、または前記少なくとも１つのネイバーノードでのアドレスパラメータの変化の検出の少なくとも１つに応答して、前記発見することを開始するための手段をさらに備える、請求項９に記載の装置。
【請求項１４】
前記パラメータの変化を検出することに応答して、少なくとも１つの更新されたアドレスを備える別の登録メッセージを送信するための手段をさらに備える、請求項１３に記載の装置。
【請求項１５】
コンピュータプログラム製品であって、
少なくとも１つのコンピュータに、請求項１乃至８のいずれか一項に従う方法を行わせるコードを備えるコンピュータ可読媒体、
を備える、コンピュータプログラム製品。
【手続補正２】
【補正対象書類名】明細書
【補正対象項目名】００６１
【補正方法】変更
【補正の内容】
【００６１】
[0068]本開示の先の説明は、本開示を製造または使用することをいずれの当業者にも可能にさせるために提供される。本開示へのさまざまな変更が、当業者には容易に理解されるであろうし、本明細書において定義された一般的な原理は、本開示の精神または範囲から逸脱せずに他の変形例に適用され得る。かくして、本開示は、本明細書において説明された例および設計に限定されるように意図されるのではなく、本明細書に開示された原理および新規な特徴と一致する最も広い範囲を与えられるべきである。
以下に、本願出願の当初の特許請求の範囲に記載された発明を付記する。
［Ｃ１］
Ｘ２通信セットアップのための方法であって、
アクセスポイントで少なくとも１つのネイバーノードを発見することと、
Ｘ２通信のための前記少なくとも１つのネイバーノードの少なくとも１つのアドレスを備える登録メッセージをＸ２ゲートウェイ（Ｘ２−ＧＷ）に送信することと、
を備える、方法。
［Ｃ２］
前記登録メッセージのための前記Ｘ２−ＧＷからの肯定応答メッセージを受信することをさらに備える、Ｃ１に記載の方法。
［Ｃ３］
前記少なくとも１つのネイバーノードの少なくとも２つのアドレスを備える前記登録メッセージを生成することをさらに備え、前記２つのアドレスは、より高いプロトコルレイヤおよびより低いプロトコルレイヤでのアドレスに対応する、Ｃ１に記載の方法。
［Ｃ４］
前記少なくとも２つのアドレスは、前記少なくとも１つのネイバーノードのトランスポートネットワークレイヤ（ＴＮＬ）アドレスおよび無線ネットワークレイヤ（ＲＮＬ）アドレスを備える、Ｃ３に記載の方法。
［Ｃ５］
標準的なＸ２−ＡＰメッセージ、修正された標準的なＸ２−ＡＰメッセージ、または新しいＸ２−ＡＰメッセージから選択された、前記登録メッセージを生成することをさらに備える、Ｃ１に記載の方法。
［Ｃ６］
少なくとも部分的に、前記少なくとも１つのネイバーノードの前記少なくとも２つのアドレス間の関連づけを含めることにより、ルーティングテーブルを前記Ｘ２−ＧＷによって更新することをさらに備える、Ｃ１に記載の方法。
［Ｃ７］
少なくとも１つの新しいネイバーノードの検出、または前記少なくとも１つのネイバーノードでのアドレスパラメータの変化の検出の少なくとも１つに応答して、前記発見することを開始することをさらに備える、Ｃ１に記載の方法。
［Ｃ８］
前記パラメータの変化を検出することに応答して、少なくとも１つの更新されたアドレスを備える別の登録メッセージを送信することをさらに備える、Ｃ７に記載の方法。
［Ｃ９］
ワイヤレス通信装置であって、
アクセスポイントで少なくとも１つのネイバーノードを発見することと、
Ｘ２通信のための前記少なくとも１つのネイバーノードの少なくとも１つのアドレスを備える登録メッセージをＸ２ゲートウェイ（Ｘ２−ＧＷ）に送信することと、
を行うように構成された、少なくとも１つのプロセッサと、
データを記憶するために前記少なくとも１つのプロセッサに結合されたメモリと、
を備える、装置。
［Ｃ１０］
前記少なくとも１つのプロセッサは、前記登録メッセージのための前記Ｘ２−ＧＷからの肯定応答メッセージを受信するようにさらに構成される、Ｃ９に記載の装置。
［Ｃ１１］
前記少なくとも１つのプロセッサは、前記少なくとも１つのネイバーノードの少なくとも２つのアドレスを備える前記登録メッセージを生成するようにさらに構成され、前記２つのアドレスは、より高いプロトコルレイヤおよびより低いプロトコルレイヤでのアドレスに対応する、Ｃ９に記載の装置。
［Ｃ１２］
前記少なくとも１つのプロセッサは、前記少なくとも１つのネイバーノードのトランスポートネットワークレイヤ（ＴＮＬ）アドレスおよび無線ネットワークレイヤ（ＲＮＬ）アドレスを備える前記少なくとも２つのアドレスを生成する、Ｃ１１に記載の装置。
［Ｃ１３］
前記少なくとも１つのプロセッサは、標準的なＸ２−ＡＰメッセージ、修正された標準的なＸ２−ＡＰメッセージ、または新しいＸ２−ＡＰメッセージから選択された、前記登録メッセージを生成するようにさらに構成される、Ｃ９に記載の装置。
［Ｃ１４］
前記少なくとも１つのプロセッサは、少なくとも部分的に、前記少なくとも１つのネイバーノードの前記少なくとも２つのアドレス間の関連づけを含めることにより、前記Ｘ２−ＧＷのためのルーティングテーブルを更新するようにさらに構成される、Ｃ９に記載の装置。
［Ｃ１５］
前記少なくとも１つのプロセッサは、少なくとも１つの新しいネイバーノードの検出、または前記少なくとも１つのネイバーノードでのアドレスパラメータの変化の検出の少なくとも１つに応答して、前記発見することを開始するようにさらに構成される、Ｃ９に記載の装置。
［Ｃ１６］
前記少なくとも１つのプロセッサは、前記パラメータの変化を検出することに応答して、少なくとも１つの更新されたアドレスを備える別の登録メッセージを送信するようにさらに構成される、Ｃ１５に記載の装置。
［Ｃ１７］
ワイヤレス通信装置であって、
アクセスポイントで少なくとも１つのネイバーノードを発見するための手段と、
Ｘ２通信のための前記少なくとも１つのネイバーノードの少なくとも１つのアドレスを備える登録メッセージをＸ２ゲートウェイ（Ｘ２−ＧＷ）に送信するための手段と、
を備える、装置。
［Ｃ１８］
前記登録メッセージのための前記Ｘ２−ＧＷからの肯定応答メッセージを受信するための手段をさらに備える、Ｃ１７に記載の装置。
［Ｃ１９］
前記少なくとも１つのネイバーノードの少なくとも２つのアドレスを備える前記登録メッセージを生成するための手段をさらに備え、前記２つのアドレスは、より高いプロトコルレイヤおよびより低いプロトコルレイヤでのアドレスに対応する、Ｃ１７に記載の装置。
［Ｃ２０］
前記生成するための手段は、前記少なくとも１つのネイバーノードのトランスポートネットワークレイヤ（ＴＮＬ）アドレスおよび無線ネットワークレイヤ（ＲＮＬ）アドレスを備える前記少なくとも２つのアドレスを生成する、Ｃ１９に記載の装置。
［Ｃ２１］
標準的なＸ２−ＡＰメッセージ、修正された標準的なＸ２−ＡＰメッセージ、または新しいＸ２−ＡＰメッセージから選択された、前記登録メッセージを生成するための手段をさらに備える、Ｃ１７に記載の装置。
［Ｃ２２］
少なくとも部分的に、前記少なくとも１つのネイバーノードの前記少なくとも２つのアドレス間の関連づけを含めることにより、前記Ｘ２−ＧＷのためのルーティングテーブルを更新するための手段をさらに備える、Ｃ１７に記載の装置。
［Ｃ２３］
少なくとも１つの新しいネイバーノードの検出、または前記少なくとも１つのネイバーノードでのアドレスパラメータの変化の検出の少なくとも１つに応答して、前記発見することを開始するための手段をさらに備える、Ｃ１７に記載の装置。
［Ｃ２４］
前記パラメータの変化を検出することに応答して、少なくとも１つの更新されたアドレスを備える別の登録メッセージを送信するための手段をさらに備える、Ｃ２３に記載の装置。
［Ｃ２５］
コンピュータプログラム製品であって、
少なくとも１つのコンピュータに、
アクセスポイントで少なくとも１つのネイバーノードを発見することと、
Ｘ２通信のための前記少なくとも１つのネイバーノードの少なくとも１つのアドレスを備える登録メッセージをＸ２ゲートウェイ（Ｘ２−ＧＷ）に送信することと、
を行わせるコードを備えるコンピュータ可読媒体、
を備える、コンピュータプログラム製品。
［Ｃ２６］
前記コンピュータ可読媒体は、前記少なくとも１つのコンピュータに前記登録メッセージのための前記Ｘ２−ＧＷからの肯定応答メッセージを受信させるためのコードをさらに備える、Ｃ２５に記載のコンピュータプログラム製品。
［Ｃ２７］
前記コンピュータ可読媒体は、前記少なくとも１つのネイバーノードの少なくとも２つのアドレスを備える前記登録メッセージを生成するためのコードをさらに備え、前記２つのアドレスは、より高いプロトコルレイヤおよびより低いプロトコルレイヤでのアドレスに対応する、Ｃ２５に記載のコンピュータプログラム製品。
［Ｃ２８］
前記コンピュータ可読媒体は、前記少なくとも１つのネイバーノードのトランスポートネットワークレイヤ（ＴＮＬ）アドレスおよび無線ネットワークレイヤ（ＲＮＬ）アドレスを備える前記少なくとも２つのアドレスを生成するためのコードをさらに備える、Ｃ２７に記載のコンピュータプログラム製品。
［Ｃ２９］
前記コンピュータ可読媒体は、少なくとも１つの新しいネイバーノードの検出、または前記少なくとも１つのネイバーノードでのアドレスパラメータの変化の検出の１つに応答して、前記発見することを開始するためのコードをさらに備える、Ｃ２５に記載のコンピュータプログラム製品。
［Ｃ３０］
前記コンピュータ可読媒体は、前記少なくとも１つのコンピュータに、前記パラメータの変化を検出することに応答して、少なくとも１つの更新されたアドレスを備える別の登録メッセージを送信させるためのコードをさらに備える、Ｃ２９に記載のコンピュータプログラム製品。